(57)【要約】本発明は、ネットワーク情報に基づいてＰＴサービスを制限するＰＴサービス制限方法に関し、ＰＴセッションに招待するＰＴクライアントは、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）を「オン」に設定して招待されるＰＴクライアントを制限し、ＰＴセッションに招待されるＰＴクライアントは、ネットワークを基盤とする着信セッション禁止フラグ（Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ）を「オン」に設定して招待するＰＴクライアントを制限し、前記フラグが動作するための動作条件情報を利用して招待するＰＴクライアント又は招待されるＰＴクライアントを選択的に制限できる。
2008515270.tif 000002
【特許請求の範囲】
【請求項１】
セッション設定を制限するためのネットワーク情報を設定する過程と、
招待するＰＴクライアント又は招待されるＰＴクライアントのネットワークが、前記設定されたネットワーク情報を満たすか否かを判断する過程と、
前記招待するＰＴクライアント又は前記招待されるＰＴクライアントの少なくとも一方のネットワークが前記ネットワーク情報を満たす場合、前記ＰＴクライアント間のセッション設定を中断する過程と
を含むことを特徴とするＰＴサービス制限方法。
【請求項２】
前記ネットワーク情報が、前記招待するＰＴクライアント又は前記招待されるＰＴクライアントによって設定されることを特徴とする請求項１に記載のＰＴサービス制限方法。
【請求項３】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、
前記ネットワークを基盤とする発信セッション禁止フラグが動作するための動作条件情報、
招待するネットワークを制限するか否かを示す、ネットワークを基盤とする着信セッション禁止フラグ（Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ）、及び
前記ネットワークを基盤とする着信セッション禁止フラグが動作するための動作条件情報の少なくとも１つを含むことを特徴とする請求項１に記載のＰＴサービス制限方法。
【請求項４】
前記動作条件情報が、異なる国のネットワーク又は長距離エリアネットワークを示す情報を含むことを特徴とする請求項３に記載のＰＴサービス制限方法。
【請求項５】
前記動作条件情報が、招待を制限しようとするクライアントのＵＲＩ情報を含むことを特徴とする請求項３に記載のＰＴサービス制限方法。
【請求項６】
前記ネットワークを基盤とする発信セッション禁止フラグの値が「オン」の場合、招待されるネットワークを制限することを特徴とする請求項３に記載のＰＴサービス制限方法。
【請求項７】
前記ネットワークを基盤とする着信セッション禁止フラグの値が「オン」の場合、招待するネットワークを制限することを特徴とする請求項３に記載のＰＴサービス制限方法。
【請求項８】
第１ＰＴクライアントが１つ以上のＰＴクライアントを招待してセッションを設定するＰＴサービスシステムにおいて、
前記第１ＰＴクライアントが特定ネットワークに存在するＰＴクライアントに対する招待を制限するためにネットワーク情報を設定する過程と、
招待されるＰＴクライアントのうち前記設定されたネットワーク情報を満たすＰＴクライアントに対する招待を制限する過程と
を含むことを特徴とするＰＴサービス制限方法。
【請求項９】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項８に記載のＰＴサービス制限方法。
【請求項１０】
前記動作条件情報が、異なる国のネットワーク又は長距離エリアネットワークを示す情報を含むことを特徴とする請求項９に記載のＰＴサービス制限方法。
【請求項１１】
前記動作条件情報が、招待を制限しようとするクライアントのＵＲＩ情報を含むことを特徴とする請求項９に記載のＰＴサービス制限方法。
【請求項１２】
前記ネットワークを基盤とする発信セッション禁止フラグの値が「オン」の場合、招待されるネットワークを制限することを特徴とする請求項９に記載のＰＴサービス制限方法。
【請求項１３】
前記ネットワーク情報は、
前記第１ＰＴクライアントが１つ以上のＰＴクライアントに招待（ＩＮＶＩＴＥ）信号を送信する前に、第１ＰＴサーバに予め保存するか、又は前記招待（ＩＮＶＩＴＥ）信号に追加して前記第１ＰＴサーバに送信することを特徴とする請求項８に記載のＰＴサービス制限方法。
【請求項１４】
前記招待を制限する過程は、
前記設定されたネットワーク情報を満たすＰＴクライアントを管理するネットワークのＳＩＰ／ＩＰサーバが招待を制限する過程、又は
前記第１ＰＴクライアントを管理する第１ＰＴサーバが招待を制限する過程のいずれか一方からなることを特徴とする請求項８に記載のＰＴサービス制限方法。
【請求項１５】
前記ＳＩＰ／ＩＰサーバが招待を制限する過程は、
前記第１ＰＴサーバが前記設定されたネットワーク情報を招待（ＩＮＶＩＴＥ）信号に追加して送信する過程と、
前記招待（ＩＮＶＩＴＥ）信号を受信したＳＩＰ／ＩＰが、前記設定されたネットワーク情報を満たすＰＴクライアントに対する招待を制限する過程と
を含むことを特徴とする請求項１４に記載のＰＴサービス制限方法。
【請求項１６】
前記第１ＰＴサーバが招待を制限する過程は、
前記設定されたネットワーク情報を満たすＰＴクライアントを管理するネットワークのＳＩＰ／ＩＰサーバから招待されるＰＴクライアントの現在のネットワークを確認して、前記ネットワーク情報を満たすＰＴクライアントに対する招待を制限する過程、又は
前記設定されたネットワーク情報を満たすＰＴクライアントを管理するネットワークのアプリケーションサーバから招待されるＰＴクライアントの現在のネットワークを確認して、前記ネットワーク情報を満たすＰＴクライアントに対する招待を制限する過程のいずれか一方からなることを特徴とする請求項１４に記載のＰＴサービス制限方法。
【請求項１７】
前記アプリケーションサーバが、ロケーションサーバ又はプレゼンスサーバであることを特徴とする請求項１６に記載のＰＴサービス制限方法。
【請求項１８】
前記第１ＰＴサーバが招待を制限する過程は、
前記第１ＰＴサーバが招待されるＰＴクライアントに関する情報及びセッションに参加するか否かを確認する信号を前記第１ＰＴクライアントに送信する過程と、
前記第１ＰＴクライアントから前記信号に対する応答信号を受信し、前記応答信号によってＰＴクライアントに対する招待を制限する過程と
をさらに含むことを特徴とする請求項１４に記載のＰＴサービス制限方法。
【請求項１９】
前記応答信号がセッション参加を命令する場合、前記ＰＴサーバが前記設定されたネットワーク情報に関係なく、前記ＰＴクライアントとのセッション設定を行う過程と、
前記応答信号がセッション不参加を命令する場合、前記ＰＴサーバが前記設定されたネットワーク情報によって、前記ＰＴクライアントの招待を制限する過程と
をさらに含むことを特徴とする請求項１８に記載のＰＴサービス制限方法。
【請求項２０】
前記応答信号が所定時間内に受信されない場合、前記ＰＴサーバが前記設定されたネットワーク情報によって、前記ＰＴクライアントの招待を制限する過程をさらに含むことを特徴とする請求項１８に記載のＰＴサービス制限方法。
【請求項２１】
前記第１ＰＴクライアントが発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）を設定して送信した場合、前記設定されたネットワーク情報に関係なくセッションが設定されることを特徴とする請求項８に記載のＰＴサービス制限方法。
【請求項２２】
第１ネットワークから第２ネットワークに移動した第２ＰＴクライアントに対する招待を制限するネットワーク情報が設定されたＰＴサービスにおいて、
第１ＰＴサーバが第１ＳＩＰ／ＩＰコアを介して第１ＰＴクライアントから送信された招待（ＩＮＶＩＴＥ）信号を受信する過程と、
前記第１ＰＴサーバが前記招待（ＩＮＶＩＴＥ）信号に前記ネットワーク情報を追加して前記第１ＳＩＰ／ＩＰコアに送信する過程と、
前記第１ＳＩＰ／ＩＰコアが前記第２ＰＴクライアントの現在のネットワークを確認して、前記第２ＰＴクライアントが前記第２ネットワークに属すると、前記第１ＰＴクライアントにセッション設定が中断されたことを通知する過程と
を含むことを特徴とするＰＴサービス制限方法。
【請求項２３】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項２２に記載のＰＴサービス制限方法。
【請求項２４】
前記ネットワークを基盤とする発信セッション禁止フラグの値が「オン」の場合、招待されるネットワークを制限することを特徴とする請求項２２に記載のＰＴサービス制限方法。
【請求項２５】
前記ネットワーク情報は、前記第１ＰＴクライアントが前記招待（ＩＮＶＩＴＥ）信号を送信する前に、前記第１ＰＴサーバに予め保存するか、又は前記招待（ＩＮＶＩＴＥ）信号に追加して前記第１ＰＴサーバに送信することを特徴とする請求項２２に記載のＰＴサービス制限方法。
【請求項２６】
前記招待（ＩＮＶＩＴＥ）信号が、前記第１ＰＴサーバに設定されたネットワーク情報を無効にする発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）をさらに含むことを特徴とする請求項２２に記載のＰＴサービス制限方法。
【請求項２７】
第１ネットワークから第２ネットワークに移動した第２ＰＴクライアントに対する招待を制限するネットワーク情報が設定されたＰＴサービスにおいて、
第１ＰＴサーバが第１ＳＩＰ／ＩＰコアを介して第１ＰＴクライアントから送信された招待（ＩＮＶＩＴＥ）信号を受信する過程と、
前記第１ＰＴサーバが前記第２ＰＴクライアントの現在のネットワークを確認する過程と、
前記第２ＰＴクライアントが前記第２ネットワークに属すると、前記第１ＰＴサーバが前記第１ＰＴクライアントにセッション設定が中断されたことを通知する過程と
を含むことを特徴とするＰＴサービス制限方法。
【請求項２８】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項２７に記載のＰＴサービス制限方法。
【請求項２９】
前記ネットワークを基盤とする発信セッション禁止フラグの値が「オン」の場合、招待されるネットワークを制限することを特徴とする請求項２８に記載のＰＴサービス制限方法。
【請求項３０】
前記ネットワーク情報は、前記第１ＰＴクライアントが前記招待（ＩＮＶＩＴＥ）信号を送信する前に、前記第１ＰＴサーバに予め保存するか、又は前記招待（ＩＮＶＩＴＥ）信号に追加して前記第１ＰＴサーバに送信することを特徴とする請求項２７に記載のＰＴサービス制限方法。
【請求項３１】
前記第２ＰＴクライアントの現在のネットワークを確認する過程は、
前記第１ＰＴサーバが前記第１ＳＩＰ／ＩＰコアから前記第２ＰＴクライアントの現在のネットワークを確認する過程、又は
前記第１ＰＴサーバがアプリケーションサーバから前記第２ＰＴクライアントの現在のネットワークを確認する過程のいずれか一方からなることを特徴とする請求項２７に記載のＰＴサービス制限方法。
【請求項３２】
前記アプリケーションサーバが、ロケーションサーバ又はプレゼンスサーバであることを特徴とする請求項３１に記載のＰＴサービス制限方法。
【請求項３３】
前記第１ＰＴサーバが前記第２ＰＴクライアントの現在のネットワークを確認した後、前記第１ＰＴサーバが前記第２ＰＴクライアントに関する情報及びセッションに参加するか否かを確認する信号を前記第１ＰＴクライアントに送信する過程と、
前記第１ＰＴクライアントから前記信号に対する応答信号を受信し、前記応答信号によって前記第２ＰＴクライアントに対する招待を制限する過程と
をさらに含むことを特徴とする請求項２７に記載のＰＴサービス制限方法。
【請求項３４】
前記応答信号がセッション参加を命令する場合、前記第１ＰＴサーバが前記設定されたネットワーク情報に関係なく、前記第２ＰＴクライアントとのセッション設定を行う過程と、
前記応答信号がセッション不参加を命令する場合、前記第１ＰＴサーバが前記設定されたネットワーク情報によって、前記第２ＰＴクライアントの招待を制限する過程と
をさらに含むことを特徴とする請求項３３に記載のＰＴサービス制限方法。
【請求項３５】
前記応答信号が所定時間内に受信されない場合、前記ＰＴサーバが前記設定されたネットワーク情報によって、前記ＰＴクライアントの招待を制限する過程をさらに含むことを特徴とする請求項３３に記載のＰＴサービス制限方法。
【請求項３６】
前記招待（ＩＮＶＩＴＥ）信号が、前記第１ＰＴサーバに設定されたネットワーク情報を無効にする発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）をさらに含むことを特徴とする請求項２７に記載のＰＴサービス制限方法。
【請求項３７】
第３ネットワークに移動した第２ネットワークの１つ以上のＰＴクライアントとの接続を制限するネットワーク情報が設定されたＰＴサービスにおいて、
第１ＰＴクライアントが第１ＰＴサーバに招待（ＩＮＶＩＴＥ）信号を送信する過程と、
前記第１ＰＴサーバが前記招待（ＩＮＶＩＴＥ）信号に前記ネットワーク情報を追加して前記第２ネットワークの第２ＳＩＰ／ＩＰコアに送信する過程と、
前記第２ＳＩＰ／ＩＰコアが前記第１ＰＴクライアントに、前記第３ネットワークに移動したＰＴクライアントとのセッション設定が中断されたことを通知する過程と
を含むことを特徴とするＰＴサービス制限方法。
【請求項３８】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項３７に記載のＰＴサービス制限方法。
【請求項３９】
前記ネットワークを基盤とする発信セッション禁止フラグの値が「オン」の場合、招待されるネットワークを制限することを特徴とする請求項３８に記載のＰＴサービス制限方法。
【請求項４０】
前記ネットワーク情報は、前記第１ＰＴクライアントが前記招待（ＩＮＶＩＴＥ）信号を送信する前に、前記第１ＰＴサーバに予め保存するか、又は前記招待（ＩＮＶＩＴＥ）信号に追加して前記第１ＰＴサーバに送信することを特徴とする請求項３７に記載のＰＴサービス制限方法。
【請求項４１】
前記招待（ＩＮＶＩＴＥ）信号が、前記第１ＰＴサーバに設定されたネットワーク情報を無効にする発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）をさらに含むことを特徴とする請求項３７に記載のＰＴサービス制限方法。
【請求項４２】
第３ネットワークに移動した第２ネットワークの１つ以上のＰＴクライアントとの接続を制限するネットワーク情報が設定されたＰＴサービスにおいて、
第１ＰＴサーバが第１ＰＴクライアントから招待（ＩＮＶＩＴＥ）信号を受信する過程と、
前記第１ＰＴサーバが第２ＰＴクライアントの現在のネットワークを前記第２ネットワークから確認する過程と、
前記第１ＰＴサーバが前記第１ＰＴクライアントに、前記第３ネットワークに移動したＰＴクライアントとのセッション設定が中断されたことを通知する過程と
を含むことを特徴とするＰＴサービス制限方法。
【請求項４３】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項４２に記載のＰＴサービス制限方法。
【請求項４４】
前記ネットワークを基盤とする発信セッション禁止フラグの値が「オン」の場合、招待されるネットワークを制限することを特徴とする請求項４３に記載のＰＴサービス制限方法。
【請求項４５】
前記ネットワーク情報は、前記第１ＰＴクライアントが前記招待（ＩＮＶＩＴＥ）信号を送信する前に、前記第１ＰＴサーバに予め保存するか、又は前記招待（ＩＮＶＩＴＥ）信号に追加して前記第１ＰＴサーバに送信することを特徴とする請求項４２に記載のＰＴサービス制限方法。
【請求項４６】
前記第２ＰＴクライアントの現在のネットワークを確認する過程は、
前記第１ＰＴサーバが前記第２ネットワークの第２ＳＩＰ／ＩＰコアから前記第２ＰＴクライアントの現在のネットワークを確認する過程、又は
前記第１ＰＴサーバが前記第２ネットワークのアプリケーションサーバから前記第２ＰＴクライアントの現在のネットワークを確認する過程のいずれか一方からなることを特徴とする請求項４２に記載のＰＴサービス制限方法。
【請求項４７】
前記アプリケーションサーバが、ロケーションサーバ又はプレゼンスサーバであることを特徴とする請求項４６に記載のＰＴサービス制限方法。
【請求項４８】
前記第１ＰＴサーバが前記第２ＰＴクライアントの現在のネットワークを確認した後、前記第１ＰＴサーバが前記第２ＰＴクライアントに関する情報及びセッションに参加するか否かを確認する信号を前記第１ＰＴクライアントに送信する過程と、
前記第１ＰＴクライアントから前記信号に対する応答信号を受信し、前記応答信号によって前記第２ＰＴクライアントに対する招待を制限する過程と
をさらに含むことを特徴とする請求項４２に記載のＰＴサービス制限方法。
【請求項４９】
前記応答信号がセッション参加を命令する場合、前記第１ＰＴサーバが前記設定されたネットワーク情報に関係なく、前記第２ＰＴクライアントとのセッション設定を行う過程と、
前記応答信号がセッション不参加を命令する場合、前記第１ＰＴサーバが前記設定されたネットワーク情報によって、前記第２ＰＴクライアントの招待を制限する過程と
をさらに含むことを特徴とする請求項４８に記載のＰＴサービス制限方法。
【請求項５０】
前記応答信号が所定時間内に受信されない場合、前記ＰＴサーバが前記設定されたネットワーク情報によって、前記ＰＴクライアントの招待を制限する過程をさらに含むことを特徴とする請求項４８に記載のＰＴサービス制限方法。
【請求項５１】
前記招待（ＩＮＶＩＴＥ）信号が、前記第１ＰＴサーバに設定されたネットワーク情報を無効にする発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）をさらに含むことを特徴とする請求項４２に記載のＰＴサービス制限方法。
【請求項５２】
第１ネットワークに属しないクライアントに対する招待を制限するネットワーク情報が設定されたＰＴサービスにおいて、
第１ＰＴサーバが第１ＰＴクライアントから送信された招待（ＩＮＶＩＴＥ）信号を受信する過程と、
前記第１ＰＴサーバが前記第２ＰＴクライアントのＵＲＩ（Ｕｎｉｆｏｒｍ  Ｒｅｓｏｕｒｃｅ  Ｉｄｅｎｔｉｆｉｅｒ）を確認して、前記第２ＰＴクライアントが前記第１ネットワークに属しないと、前記第１ＰＴクライアントにセッション設定が中断されたことを通知する過程と
を含むことを特徴とするＰＴサービス制限方法。
【請求項５３】
前記第１ＰＴサーバは、前記ＵＲＩがどのネットワークに属するかを判断するためのデータベースを含むことを特徴とする請求項５２に記載のＰＴサービス制限方法。
【請求項５４】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項５２に記載のＰＴサービス制限方法。
【請求項５５】
前記ネットワークを基盤とする発信セッション禁止フラグの値が「オン」の場合、招待されるネットワークを制限することを特徴とする請求項５４に記載のＰＴサービス制限方法。
【請求項５６】
前記ネットワーク情報は、前記第１ＰＴクライアントが前記招待（ＩＮＶＩＴＥ）信号を送信する前に、前記第１ＰＴサーバに予め保存するか、又は前記招待（ＩＮＶＩＴＥ）信号に追加して前記第１ＰＴサーバに送信することを特徴とする請求項５２に記載のＰＴサービス制限方法。
【請求項５７】
前記第１ＰＴサーバが前記第２ＰＴクライアントのＵＲＩを確認した後、前記第１ＰＴサーバが前記第２ＰＴクライアントに関する情報及びセッションに参加するか否かを確認する信号を前記第１ＰＴクライアントに送信する過程と、
前記第１ＰＴクライアントから前記信号に対する応答信号を受信し、前記応答信号によって前記第２ＰＴクライアントに対する招待を制限する過程と
をさらに含むことを特徴とする請求項５２に記載のＰＴサービス制限方法。
【請求項５８】
前記応答信号がセッション参加を命令する場合、前記第１ＰＴサーバが前記設定されたネットワーク情報に関係なく、前記第２ＰＴクライアントとのセッション設定を行う過程と、
前記応答信号がセッション不参加を命令する場合、前記第１ＰＴサーバが前記設定されたネットワーク情報によって、前記第２ＰＴクライアントの招待を制限する過程と
をさらに含むことを特徴とする請求項５７に記載のＰＴサービス制限方法。
【請求項５９】
前記応答信号が所定時間内に受信されない場合、前記ＰＴサーバが前記設定されたネットワーク情報によって、前記ＰＴクライアントの招待を制限する過程をさらに含むことを特徴とする請求項５７に記載のＰＴサービス制限方法。
【請求項６０】
前記招待（ＩＮＶＩＴＥ）信号が、前記第１ＰＴサーバに設定されたネットワーク情報を無効にする発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）をさらに含むことを特徴とする請求項５２に記載のＰＴサービス制限方法。
【請求項６１】
第１ネットワークに属する第１ＰＴクライアントが前記第１ネットワークに属する第２ＰＴクライアントに招待（ＩＮＶＩＴＥ）信号を送信する過程と、
前記第１ＰＴクライアントと前記第２ＰＴクライアント間にセッションが設定される過程と、
前記第２ＰＴクライアントが第２ネットワークにローミングした場合、前記第１ネットワークが前記第２ＰＴクライアントの現在のネットワークと予め設定されたネットワーク情報とを比較する過程と、
前記第２ＰＴクライアントのネットワークが前記予め設定されたネットワーク情報を満たす場合、前記第１ネットワークが前記第１ＰＴクライアント及び前記第２ＰＴクライアントに解除（ＲＥＬＥＡＳＥ）信号を送信する過程と
を含むことを特徴とするＰＴサービス制限方法。
【請求項６２】
前記ネットワーク情報は、
招待されるネットワークを制限するか否かを示す、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）、及び
前記ネットワークを基盤とする発信セッション禁止フラグが動作するための動作条件情報を含むことを特徴とする請求項６１に記載のＰＴサービス制限方法。
【請求項６３】
前記ネットワークを基盤とする発信セッション禁止フラグの値が「オン」の場合、招待されるネットワークを制限することを特徴とする請求項６２に記載のＰＴサービス制限方法。
【請求項６４】
前記ネットワーク情報は、前記第１ＰＴクライアントが前記招待（ＩＮＶＩＴＥ）信号を送信する前に、第１ＰＴサーバに予め保存するか、又は前記招待（ＩＮＶＩＴＥ）信号に追加して前記第１ＰＴサーバに送信することを特徴とする請求項６１に記載のＰＴサービス制限方法。
【請求項６５】
前記第１ネットワークがネットワーク情報を比較する過程は、
前記第１ネットワークの第１ＳＩＰ／ＩＰコアが前記第１ネットワークの第１ＰＴサーバから前記ネットワーク情報を確認する過程と、
前記第２ＰＴクライアントの現在のネットワークと前記ネットワーク情報とを比較する過程と
を含むことを特徴とする請求項６１に記載のＰＴサービス制限方法。
【請求項６６】
前記第１ネットワークがネットワーク情報を比較する過程は、
第１ＰＴサーバが第１ＳＩＰ／ＩＰコアから前記第２ＰＴクライアントの現在のネットワークに関する情報を受信する過程と、
前記第２ＰＴクライアントの現在のネットワークと前記予め設定されたネットワーク情報とを比較する過程と
を含むことを特徴とする請求項６１に記載のＰＴサービス制限方法。
【請求項６７】
第１ＰＴクライアントが特定ネットワークへの招待を制限するネットワーク情報を第１ＰＴサーバに保存する過程と、
招待するネットワークが前記設定されたネットワーク情報を満たす場合、前記第１ＰＴサーバが招待を制限する過程と
を含むことを特徴とするＰＴサービス制限方法。
【請求項６８】
前記ネットワーク情報は、
前記第１ＰＴクライアントを招待するネットワークを制限するか否かを示す、ネットワークを基盤とする着信セッション禁止フラグ（Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ）、及び
前記ネットワークを基盤とする着信セッション禁止フラグが動作するための動作条件情報を含むことを特徴とする請求項６７に記載のＰＴサービス制限方法。
【請求項６９】
前記ネットワークを基盤とする着信セッション禁止フラグの値が「オン」の場合、招待するネットワークを制限することを特徴とする請求項６８に記載のＰＴサービス制限方法。
【請求項７０】
前記第１ＰＴサーバが招待を制限する過程は、
前記第１ＰＴサーバが前記招待するネットワークの情報及びセッションに参加するか否かを確認する信号を前記第１ＰＴクライアントに通知する過程と、
前記第１ＰＴクライアントから前記信号に対する応答信号を受信し、前記応答信号によって前記招待を制限する過程と
を含むことを特徴とする請求項６７に記載のＰＴサービス制限方法。
【請求項７１】
前記応答信号がセッション参加を命令する場合、前記第１ＰＴサーバが前記設定されたネットワーク情報に関係なくセッションを設定する過程と、
前記応答信号がセッション不参加を命令する場合、前記第１ＰＴサーバが前記設定されたネットワーク情報によって前記ネットワークの招待を制限する過程と
をさらに含むことを特徴とする請求項７０に記載のＰＴサービス制限方法。
【請求項７２】
第１ネットワークの第１ＰＴクライアントが第２ネットワークへの招待を制限するネットワーク情報が設定されたＰＴサービスにおいて、
第１ＰＴサーバが前記第２ネットワークから招待（ＩＮＶＩＴＥ）信号を受信する過程と、
前記第１ＰＴサーバが前記ネットワーク情報と前記第２ネットワークの情報とを比較し、前記第２ネットワークにセッション設定が中断されたことを通知する過程と
を含むことを特徴とするＰＴサービス制限方法。
【請求項７３】
前記ネットワーク情報は、
前記第１ＰＴクライアントを招待するネットワークを制限するか否かを示す、ネットワークを基盤とする着信セッション禁止フラグ（Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ）、及び
前記ネットワークを基盤とする着信セッション禁止フラグが動作するための動作条件情報を含むことを特徴とする請求項７２に記載のＰＴサービス制限方法。
【請求項７４】
前記ネットワークを基盤とする着信セッション禁止フラグの値が「オン」の場合、招待するネットワークを制限することを特徴とする請求項７３に記載のＰＴサービス制限方法。
【請求項７５】
前記第２ネットワークにセッション設定の結果を送信する過程は、
前記第１ＰＴサーバが前記第２ネットワークの情報及びセッションに参加するか否かを確認する信号を前記第１ＰＴクライアントに送信する過程と、
前記第１ＰＴクライアントから前記信号に対する応答信号を受信する過程と、
前記第１ＰＴサーバが前記応答信号によって前記招待を制限する過程と
を含むことを特徴とする請求項７２に記載のＰＴサービス制限方法。
【請求項７６】
前記第１ＰＴクライアントが前記セッションに参加するか否かを確認する信号を受信した後、前記第１ＰＴサーバが前記招待（ＩＮＶＩＴＥ）信号に対する応答信号の送信を保留するように命令する信号を送信する過程をさらに含むことを特徴とする請求項７５に記載のＰＴサービス制限方法。
【請求項７７】
前記応答信号がセッション参加を命令する場合、前記第１ＰＴサーバが前記設定されたネットワーク情報に関係なくセッションを設定する過程と、
前記応答信号がセッション不参加を命令する場合、前記第１ＰＴサーバが前記設定されたネットワーク情報によって前記ネットワークの招待を制限する過程と
をさらに含むことを特徴とする請求項７５に記載のＰＴサービス制限方法。
【請求項７８】
特定ＰＴクライアントに対する招待を制限するように、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）及び動作条件情報がＰＴサーバに設定されたＰＴシステムにおいて、
ユーザが端末を利用して送信する発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）が設定された場合、前記設定された発信セッション禁止フラグ及び動作条件情報に関係なくセッションが設定されることを特徴とするＰＴサービス制限方法。
【請求項７９】
前記発信セッション禁止無効フラグが設定されていない場合、前記設定された発信セッション禁止フラグ及び動作条件情報によって招待が制限されることを特徴とする請求項７８に記載のＰＴサービス制限方法。
【請求項８０】
前記発信セッション禁止無効フラグが、前記端末を利用して送信する招待（ＩＮＶＩＴＥ）信号のヘッダ又はボディに含まれることを特徴とする請求項７９に記載のＰＴサービス制限方法。
【請求項８１】
ＰＴセッション設定条件をアプリケーションサーバに設定する過程と、
前記アプリケーションサーバがＰＴセッション設定の要求を受信して、前記ＰＴセッション設定条件と現在のセッション設定状態とを比較する過程と、
前記の比較結果によって選択的にＰＴセッション接続を行う過程と
を含むことを特徴とするＰＴサービス制限方法。
【請求項８２】
前記アプリケーションサーバがＰＴサーバであることを特徴とする請求項８１に記載のＰＴサービス制限方法。
【請求項８３】
前記ＰＴセッション設定条件と前記現在のセッション設定状態とが同一の場合、前記ＰＴセッション接続過程を終了することを特徴とする請求項８１に記載のＰＴサービス制限方法。
【請求項８４】
前記ＰＴセッション設定条件と前記現在のセッション設定状態とが異なる場合、前記ＰＴセッション接続を行うことを特徴とする請求項８１に記載のＰＴサービス制限方法。
【発明の詳細な説明】
【技術分野】
【０００１】
本発明は、ＰＴ（Ｐｕｓｈ−Ｔｏ）サービスに関し、特に、ＰＴセッションに招待するクライアントと招待されるクライアントとが異なるネットワークに属する場合にネットワーク情報に基づいてＰＴサービスを制限するＰＴサービス制限方法に関する。
【背景技術】
【０００２】
ＰＴサービスとは、１つのクライアントが、セッションが設定された１つ以上の他のクライアントにメディアデータ（発言）を伝送する通信サービスをいう。前記ＰＴサービスは、音声（オーディオ）データを伝送するためのＰＴＴ（Ｐｕｓｈ  Ｔｏ  Ｔａｌｋ）サービス、動画像（ビデオ）データを伝送するためのＰＴＶ（Ｐｕｓｈ  Ｔｏ  Ｖｉｅｗ）サービス、又はデータを伝送するためのＰＴＤ（Ｐｕｓｈ  Ｔｏ  Ｄａｔａ）サービスを含む。前記ＰＴサービスは、１人の受信者との通信（１対１）、又はグループチャットセッションとして受信者グループ間の通信（１対多）を提供し、セッションを設定するためにセッション開始プロトコル（Ｓｅｓｓｉｏｎ  Ｉｎｉｔｉａｔｉｏｎ  Ｐｒｏｔｏｃｏｌ：ＳＩＰ）を使用する。
【０００３】
従来のＰＴサービスは、特定クライアントが１つ以上のクライアントを選択してＰＴセッションに招待する過程と、前記ＰＴセッションに招待するクライアントと招待されるクライアント間にセッションが接続される過程と、前記セッションが設定されたクライアント間でメディアデータが送受信される過程とを含む。
【０００４】
前記ＰＴセッションに招待されるクライアントは、着信セッション禁止フラグ（Ｉｎｃｏｍｉｎｇ−Ｓｅｓｓｉｏｎ−Ｂａｒｒｉｎｇ  Ｆｌａｇ）を「オン」に設定して全てのＰＴセッション招待を制限するか、又はクライアント別もしくはクライアントが属するグループ別にＰＴセッション招待を制限することができる。しかし、このようなＰＴセッション制限方法は、ＰＴセッションに招待するか、又は招待されるクライアントが位置するネットワークの情報を考慮せず、無差別にＰＴセッション招待を制限するという問題があった。
【０００５】
従来のＰＴサービスは、前記ＰＴセッションに招待するクライアントと招待されるクライアントとが異なるネットワークに存在する場合のセッション設定方法に関しては明確に定義していない。各ネットワークが異なる課金制度を用いるため、前記ＰＴセッションに招待するクライアントと招待されるクライアントとが異なるネットワークに存在し、ＰＴセッションに招待する過程及び招待される過程を制限する機能がない場合、課金問題が発生し得る。
【０００６】
例えば、ＰＴセッションに招待されるクライアントが異なる国のネットワークに属する場合、同じ国のネットワークに属するクライアントに比べて請求されるＰＴサービス料金がはるかに高いが、ＰＴセッションの設定は、招待されるクライアントが同じ国のネットワークに属するか、異なる国のネットワークに属するかを考慮せずに行われるため、ユーザが予想できない料金を支払う場合が発生する。
【発明の開示】
【発明が解決しようとする課題】
【０００７】
そこで、本発明は、クライアントが異なるネットワークに属するクライアントをＰＴセッションに招待する場合にネットワーク情報に基づいて招待する機能を制限するＰＴサービス制限方法を提供することを目的とする。
【０００８】
また、本発明の他の目的は、クライアントが異なるネットワークに属するクライアントからＰＴセッションに招待される場合にネットワーク情報に基づいて招待される機能を制限するＰＴサービス制限方法を提供することにある。
【課題を解決するための手段】
【０００９】
上記の目的を達成するために、本発明によるＰＴサービス制限方法は、第１ＰＴクライアントがセッション設定を制限するためのネットワーク情報を設定する過程と、前記第１ＰＴクライアントとのセッション設定を行おうとする第２ＰＴクライアントのネットワークが、前記設定されたネットワーク情報を満たすか否かを判断する過程と、前記第２ＰＴクライアントのネットワークが前記設定されたネットワーク情報を満たす場合、前記第１ＰＴクライアントが前記第２ＰＴクライアントとのセッション設定を中断する過程とを含む。
【００１０】
第１ＰＴクライアントが１つ以上のＰＴクライアントを招待してセッションを設定するＰＴサービスシステムにおいて、本発明によるＰＴサービス制限方法は、前記第１ＰＴクライアントが特定ネットワークに存在するＰＴクライアントに対する招待を制限するためにネットワーク情報を設定する過程と、招待されたＰＴクライアントのうち前記設定されたネットワーク情報を満たすＰＴクライアントに対する招待を制限する過程とを含む。
【００１１】
第１ネットワークから第２ネットワークに移動した第２ＰＴクライアントの招待を制限するように、前記第１ネットワークの第１ＰＴクライアントがネットワーク情報を設定するＰＴサービスにおいて、本発明によるＰＴサービス制限方法は、第１ＰＴサーバが第１ＳＩＰ／ＩＰコアを介して前記第１ＰＴクライアントから送信された招待（ＩＮＶＩＴＥ）信号を受信する過程と、前記第１ＰＴサーバが前記招待（ＩＮＶＩＴＥ）信号に前記ネットワーク情報を追加して前記第１ＳＩＰ／ＩＰコアに送信する過程と、前記第１ＳＩＰ／ＩＰコアが前記第２ＰＴクライアントの現在のネットワークを確認して、前記第２ＰＴクライアントが前記第２ネットワークに属すると、前記第１ＰＴクライアントにセッション設定が中断されたことを通知する過程とを含む。
【００１２】
第１ネットワークから第２ネットワークに移動した第２ＰＴクライアントの招待を制限するために、前記第１ネットワークの第１ＰＴクライアントがネットワーク情報を設定するＰＴサービスにおいて、本発明によるＰＴサービス制限方法は、第１ＰＴサーバが第１ＳＩＰ／ＩＰコアを介して前記第１ＰＴクライアントから送信された招待（ＩＮＶＩＴＥ）信号を受信する過程と、前記第１ＰＴサーバが前記第２ＰＴクライアントの現在のネットワークを確認する過程と、前記第２ＰＴクライアントが前記第２ネットワークに属すると、前記第１ＰＴサーバが前記第１ＰＴクライアントにセッション設定が中断されたことを通知する過程とを含む。
【００１３】
第３ネットワークに移動した第２ネットワークの１つ以上のＰＴクライアントとの接続を制限するように、第１ネットワークの第１ＰＴクライアントがネットワーク情報を設定するＰＴサービスにおいて、本発明によるＰＴサービス制限方法は、前記第１ＰＴクライアントが第１ＰＴサーバに招待（ＩＮＶＩＴＥ）信号を送信する過程と、前記第１ＰＴサーバが前記招待（ＩＮＶＩＴＥ）信号に前記ネットワーク情報を追加して前記第２ネットワークの第２ＳＩＰ／ＩＰコアに送信する過程と、前記第２ＳＩＰ／ＩＰコアが前記第１ＰＴクライアントに、前記第３ネットワークに移動したＰＴクライアントとのセッション設定が中断されたことを通知する過程とを含む。
【００１４】
第３ネットワークに移動した第２ネットワークの１つ以上のＰＴクライアントとの接続を制限するように、第１ネットワークの第１ＰＴクライアントがネットワーク情報を設定するＰＴサービスにおいて、本発明によるＰＴサービス制限方法は、前記第１ＰＴサーバが前記第１ＰＴクライアントから招待（ＩＮＶＩＴＥ）信号を受信する過程と、前記第１ＰＴサーバが第２ＰＴクライアントの現在のネットワークを前記第２ネットワークから確認する過程と、前記第１ＰＴサーバが前記第１ＰＴクライアントに、前記第３ネットワークに移動したＰＴクライアントとのセッション設定が中断されたことを通知する過程とを含む。
【００１５】
第１ネットワークに属しない第２ＰＴクライアントに対する招待を制限するように、前記第１ネットワークの第１ＰＴクライアントがネットワーク情報を設定するＰＴサービスにおいて、本発明によるＰＴサービス制限方法は、第１ＰＴサーバが前記第１ＰＴクライアントから送信された招待（ＩＮＶＩＴＥ）信号を受信する過程と、前記第１ＰＴサーバが前記第２ＰＴクライアントのＵＲＩ（Ｕｎｉｆｏｒｍ  Ｒｅｓｏｕｒｃｅ  Ｉｄｅｎｔｉｆｉｅｒ）を確認して、前記第１ＰＴクライアントにセッション設定が中断されたことを通知する過程とを含む。
【００１６】
本発明によるＰＴサービス制限方法は、第１ネットワークに属する第１ＰＴクライアントが前記第１ネットワークに属する第２ＰＴクライアントに招待（ＩＮＶＩＴＥ）信号を送信する過程と、前記第１ＰＴクライアントと前記第２ＰＴクライアント間にセッションが設定される過程と、前記第２ＰＴクライアントが第２ネットワークにローミングした場合、前記第１ネットワークが前記第２ＰＴクライアントの現在のネットワークと予め設定されたネットワーク情報とを比較する過程と、前記第２ＰＴクライアントのネットワークが前記予め設定されたネットワーク情報を満たす場合、前記第１ネットワークが前記第１ＰＴクライアント及び前記第２ＰＴクライアントに解除（ＲＥＬＥＡＳＥ）信号を送信する過程とを含む。
【００１７】
本発明によるＰＴサービス制限方法は、第１ＰＴクライアントが特定ネットワークへの招待を制限するネットワーク情報を第１ＰＴサーバに保存する過程と、招待するネットワークが設定されたネットワーク情報を満たす場合、前記第１ＰＴサーバが招待を制限する過程とを含む。
【００１８】
第１ネットワークの第１ＰＴクライアントが第２ネットワークへの招待を制限するネットワーク情報が設定されたＰＴサービスにおいて、本発明によるＰＴサービス制限方法は、第１ＰＴサーバが前記第２ネットワークから招待（ＩＮＶＩＴＥ）信号を受信する過程と、前記第１ＰＴサーバが前記ネットワーク情報と前記第２ネットワークの情報とを比較し、前記第２ネットワークにセッション設定が中断されたことを通知する過程とを含む。
【００１９】
特定ＰＴクライアントに対する招待を制限するように、ネットワークを基盤とする発信セッション禁止フラグ（Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ）及び動作条件情報がＰＴサーバに設定されたＰＴシステムにおいて、本発明によるＰＴサービス制限方法は、ユーザが端末を利用して送信する発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）が設定された場合、前記設定された発信セッション禁止フラグ及び動作条件情報に関係なくセッションが設定される。
【００２０】
本発明によるＰＴサービス制限方法は、ＰＴセッション設定条件をアプリケーションサーバに設定する過程と、前記アプリケーションサーバがＰＴセッション設定の要求を受信して、前記セッション設定条件と現在のセッション設定状態とを比較する過程と、前記の比較結果によって選択的にセッション接続を行う過程とを含む。
【発明の効果】
【００２１】
本発明によるＰＴサービス制限方法は、ＰＴセッションに招待するクライアントと招待されるクライアントが、招待するか又は招待されることを制限するためのネットワーク情報を設定し、前記ネットワーク情報を満たすクライアントに対する招待又は前記ネットワーク情報を満たすクライアントからの招待を自動的に制限できるため、ユーザの利便性が向上するという効果がある。
【００２２】
また、本発明によるＰＴサービス制限方法は、ＰＴセッションに招待するクライアントと招待されるクライアントが、ネットワーク情報を利用して招待するか又は招待されるネットワークを制限することにより、異なるネットワークに存在するクライアント間にセッションを設定する過程で発生する課金問題を低減できるという効果がある。
【発明を実施するための最良の形態】
【００２３】
以下、添付図面を参照して本発明によるＰＴサービス制限方法の好ましい実施形態を説明する。
【００２４】
本発明において、ＰＴセッションに招待するＰＴクライアントは、ネットワークを基盤とする発信セッション禁止フラグを「オン」に設定することにより、招待されるＰＴクライアントを制限することができる。
【００２５】
また、本発明において、ＰＴセッションに招待されるＰＴクライアントは、ネットワークを基盤とする着信セッション禁止フラグを「オン」に設定することにより、招待するＰＴクライアントを制限することができる。
【００２６】
さらに、本発明において、ＰＴクライアントは、ネットワークを基盤とする発信セッション禁止フラグ、ネットワークを基盤とする着信セッション禁止フラグ、及び前記フラグの動作条件情報を利用して、招待するＰＴクライアント又は招待されるＰＴクライアントを選択的に制限することができる。ここで、前記動作条件情報は、特定ネットワークを指定する情報、又は制限しようとする特定ネットワークが外国のネットワークであるか、長距離のネットワークであるかなどに関する情報である。また、前記動作条件情報は、招待するか又は招待されることを制限しようとするクライアントのＵＲＩ情報であってもよい。
【００２７】
図１は、本発明によるＰＴサービス制限方法を説明するためのＰＴシステムの構成を示すブロック図であり、ＰＴクライアントＡのネットワーク１００とＰＴクライアントＢのネットワーク２００とが異なるネットワークであり、各ネットワークの構成は同一であると仮定する。
【００２８】
ネットワーク１００、２００は、ユーザインタフェースを提供するＰＴクライアント１１０、２１０と、ＰＴ信号及びメディアデータを処理するＰＴサーバ１２０、２２０と、ＰＴクライアント１１０、２１０の状態情報を確認して異なるネットワークに伝達するプレゼンスサーバ１３０、２３０と、ＳＩＰメッセージをルーティングするＳＩＰ／ＩＰコア１４０、２４０とを含む。ここで、ＳＩＰ／ＩＰコア１４０、２４０は、３ＧＰＰではＩＭＳ（ＩＰ  Ｍｕｌｔｉｍｅｄｉａ  Ｓｕｂｓｙｓｔｅｍ）に該当し、３ＧＰＰ２ではＭＭＤに該当する。
【００２９】
図２〜図４は、本発明によるＰＴサービス制限方法を実現するために基本的に必要な機能を示す信号フロー図であり、以下、これらを参照して前記機能について説明する。
【００３０】
図２は、ＰＴクライアントＡがＰＴクライアントＡ自身のサービングネットワークと異なるネットワークに属するクライアントに対する招待を制限するための方法を示す信号フロー図であり、便宜上、ＰＴクライアントＡと異なるネットワークであるネットワークＢに属するＰＴクライアントＢに限定して説明する。
【００３１】
ＰＴクライアントＡは、ＳＩＰのパブリッシュ（ＰＵＢＬＩＳＨ）信号を用いて、ネットワークを基盤とする発信セッション禁止フラグの値及び当該フラグの動作条件情報をＳＩＰ／ＩＰコアＡに伝達し（Ｓ２１）、前記ＳＩＰ／ＩＰコアＡは、伝達されたパブリッシュ（ＰＵＢＬＩＳＨ）信号をＰＴサーバＡに伝達する（Ｓ２３）。
【００３２】
前記ＰＴサーバＡは、前記パブリッシュ（ＰＵＢＬＩＳＨ）信号により伝達されたネットワークを基盤とする発信セッション禁止フラグの値及び当該フラグの動作条件情報を保存する。ここで、前記ＳＩＰのパブリッシュ（ＰＵＢＬＩＳＨ）信号の代わりに、拡張可能マークアップ言語構成アクセスプロトコル（Ｅｘｔｅｎｓｉｂｌｅ  Ｍａｒｋｕｐ  Ｌａｎｇｕａｇｅ（ＸＭＬ）  Ｃｏｎｆｉｇｕｒａｔｉｏｎ  Ａｃｃｅｓｓ  Ｐｒｏｔｏｃｏｌ：ＸＣＡＰ）のＰＵＴ演算を用いることもできる。
【００３３】
図３は、ＰＴクライアントＢがＰＴクライアントＢ自身のサービングネットワークと異なるネットワークに属するクライアントからの招待を制限するための方法を示す信号フロー図であり、便宜上、ＰＴクライアントＢと異なるネットワークであるネットワークＡに属するＰＴクライアントＡに限定して説明する。
【００３４】
ＰＴクライアントＢは、ＳＩＰのパブリッシュ（ＰＵＢＬＩＳＨ）信号を用いて、ネットワークを基盤とする着信セッション禁止フラグの値及び当該フラグの動作条件情報をＳＩＰ／ＩＰコアＢに伝達し（Ｓ３１）、前記ＳＩＰ／ＩＰコアＢは、伝達されたパブリッシュ（ＰＵＢＬＩＳＨ）信号をＰＴサーバＢに伝達する（Ｓ３３）。
【００３５】
前記ＰＴサーバＢは、前記ネットワークを基盤とする着信セッション禁止フラグの値及び当該フラグの動作条件情報を保存する。ここで、前記ＳＩＰのパブリッシュ（ＰＵＢＬＩＳＨ）信号の代わりに、ＸＣＡＰのＰＵＴ演算を用いることもできる。
【００３６】
図４は、ＰＴクライアント間、ＳＩＰ／ＩＰコア間、又はＰＴサーバ間で知りたい情報について問答する過程を示すフローチャートである。ＰＴクライアント、ＳＩＰ／ＩＰコア、又はＰＴサーバは、サブスクライブ（ＳＵＢＳＣＲＩＢＥ）信号により、知りたい情報を要求し（Ｓ４１）、前記サブスクライブ（ＳＵＢＳＣＲＩＢＥ）信号を受信したＰＴクライアント、ＳＩＰ／ＩＰコア、又はＰＴサーバは、通知（ＮＯＴＩＦＹ）信号により、要求された情報を提供する（Ｓ４３）。
【００３７】
すなわち、ＰＴセッションに招待するＰＴクライアントＡ又は招待されるＰＴクライアントＢは、パブリッシュ（ＰＵＢＬＩＳＨ）信号を用いて、ネットワークを基盤とする発信セッション禁止フラグの値及び動作条件情報、又はネットワークを基盤とする着信セッション禁止フラグの値及び動作条件情報を、該当ネットワークのＰＴサーバＡ又はＰＴサーバＢに予め保存することができ、上述した保存された情報は、サブスクライブ（ＳＵＢＳＣＲＩＢＥ）信号と通知（ＮＯＴＩＦＹ）信号により伝送することができる。
【００３８】
図５〜図１２は、本発明によるＰＴサービス制限方法の実施形態を示す信号フロー図であり、以下、これらを参照して本発明によるＰＴサービス制限方法について詳細に説明する。
【００３９】
図５〜図７は、招待するＰＴクライアントＡと招待されるＰＴクライアントＢが同じ国の同じサービスプロバイダのクライアントであり、かつ前記ＰＴクライアントＢが異なる国のサービスプロバイダのネットワークに移動する場合のＰＴサービス制限方法を示す信号フロー図である。ここで、前記ＰＴクライアントＡが、特定ネットワークＢ（異なる国のネットワーク）に存在するＰＴクライアントに対する招待を制限するように、ネットワークを基盤とする発信セッション禁止フラグの値及び動作条件情報をＰＴサーバＡに予め設定したと仮定する。
【００４０】
図５は、ＳＩＰ／ＩＰコアが招待を制限する場合であり、前記ＰＴクライアントＡが招待（ＩＮＶＩＴＥ）信号を用いて前記ＰＴクライアントＢを招待すると（Ｓ５１）、前記ＳＩＰ／ＩＰコアは前記招待（ＩＮＶＩＴＥ）信号を前記ＰＴサーバＡにルーティングする（Ｓ５３）。
【００４１】
前記ＰＴサーバＡは、前記ＰＴクライアントＡが予め設定した前記ネットワークを基盤とする発信セッション禁止フラグの値が「オン」であると、前記フラグ値及び当該フラグの動作条件情報を前記招待（ＩＮＶＩＴＥ）信号に追加して前記ＳＩＰ／ＩＰコアＡに送信する（Ｓ５５）。すなわち、前記招待（ＩＮＶＩＴＥ）信号には、「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のネットワーク」が追加される。
【００４２】
前記ＰＴクライアントＢ（すなわち、ネットワークＡの加入者）は、前記ネットワークＢ（異なる国のネットワーク）に最初に移動した後、レジスタ（ＲＥＧＩＳＴＥＲ）信号を用いて前記ＳＩＰ／ＩＰコアＡに現在のネットワークに関する情報を報告するため、前記ＳＩＰ／ＩＰコアＡは、前記ＰＴクライアントＢが前記ネットワークＢに移動したことが分かる。ここで、前記ＳＩＰ／ＩＰコアＡは、前記ＰＴクライアントＢが報告した情報を利用して国情報又は地域情報をマッピングできるデータベースを含んでいなければならない。
【００４３】
前記招待（ＩＮＶＩＴＥ）信号を受信したＳＩＰ／ＩＰコアＡは、前記ネットワークを基盤とする発信セッション禁止フラグの値が「オン」であり、異なる国のネットワーク（ネットワークＢ）に存在するＰＴクライアントは招待したくないという動作条件情報を確認した後、前記ＰＴクライアントＢに対するセッション招待を中断する。
【００４４】
前記ＳＩＰ／ＩＰコアＡは、前記ＰＴクライアントＢに対するセッション設定が中断されたことをＮＯＫ信号により前記ＰＴサーバＡに通知し（Ｓ５７）、前記ＰＴサーバＡは、前記ＮＯＫ信号を前記ＳＩＰ／ＩＰコアＡに送信し（Ｓ５８）、前記ＳＩＰ／ＩＰコアＡは、前記ＮＯＫ信号を前記ＰＴクライアントＡに送信する（Ｓ５９）。
【００４５】
図６は、ＰＴサーバＡが招待を制限する場合であり、招待しようとするＰＴクライアントの現在のネットワークに関する情報を前記ＰＴサーバＡがＳＩＰ／ＩＰコアから受信する実施形態を示す信号フロー図である。
【００４６】
前記ＰＴクライアントＡが招待（ＩＮＶＩＴＥ）信号を用いて前記ＰＴクライアントＢを招待すると（Ｓ６１）、前記ＳＩＰ／ＩＰコアＡは前記招待（ＩＮＶＩＴＥ）信号を前記ＰＴサーバＡにルーティングする（Ｓ６２）。
【００４７】
前記ＰＴサーバＡは、前記ＰＴクライアントＡが予め設定した前記ネットワークを基盤とする発信セッション禁止フラグの値が「オン」であると、前記ＰＴクライアントＢの現在のネットワーク情報を要求するために、サブスクライブ（ＳＵＢＳＣＲＩＢＥ）信号を前記ＳＩＰ／ＩＰコアＡに送信し（Ｓ６３）、前記ＳＩＰ／ＩＰコアＡは、前記ＰＴクライアントＢがどのネットワークに属するかを通知（ＮＯＴＩＦＹ）信号により前記ＰＴサーバＡに通知する（Ｓ６７）。
【００４８】
前記ＰＴサーバＡは、前記ＰＴクライアントＡが予め設定した動作条件情報と、前記ＳＩＰ／ＩＰコアＡから受信した前記ＰＴクライアントＢの現在のネットワーク情報とを比較して、前記ＰＴクライアントＢを招待するか否かを決定する。
【００４９】
例えば、前記ＰＴサーバＡに「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のネットワーク」が予め設定されており、前記ＳＩＰ／ＩＰコアＡを介して確認した前記ＰＴクライアントＢが現在異なる国のネットワーク（ネットワークＢ）に属する場合、前記ＰＴサーバＡは、前記ＰＴクライアントＢに対するセッション招待を中断する。
【００５０】
前記ＰＴサーバＡは、前記ＰＴクライアントＢに対するセッション設定が中断されたことをＮＯＫ信号により前記ＳＩＰ／ＩＰコアＡに通知し（Ｓ６８）、前記ＳＩＰ／ＩＰコアＡは、前記ＮＯＫ信号を前記ＰＴクライアントＡに送信する（Ｓ６９）。
【００５１】
前記ＰＴクライアントＢのネットワーク情報は、前記ＰＴサーバＡがサブスクライブ（ＳＵＢＳＣＲＩＢＥ）−通知（ＮＯＴＩＦＹ）信号を用いて要求する過程により確認することもでき、前記ＳＩＰ／ＩＰコアＡがパブリッシュ（ＰＵＢＬＩＳＨ）信号を用いて前記ＰＴクライアントＢのネットワーク情報を周期的に又は変更される度に前記ＰＴサーバＡに通知する過程により確認することもできる。
【００５２】
図７は、ＰＴサーバＡが招待を制限する他の実施形態であり、招待しようとするＰＴクライアントの現在のネットワークに関する情報を前記ＰＴサーバＡが異なるアプリケーションサーバから受信する場合を示す信号フロー図である。ここで、前記アプリケーションサーバは、ロケーションサーバ又はプレゼンスサーバである。
【００５３】
前記ＰＴクライアントＡが招待（ＩＮＶＩＴＥ）信号を用いて前記ＰＴクライアントＢを招待すると（Ｓ６１）、前記ＳＩＰ／ＩＰコアＡは前記招待（ＩＮＶＩＴＥ）信号を前記ＰＴサーバＡにルーティングする（Ｓ６２）。
【００５４】
前記ＰＴサーバＡは、前記ＰＴクライアントＡが予め設定した前記ネットワークを基盤とする発信セッション禁止フラグの値が「オン」であると、前記ＰＴクライアントＢの現在のネットワーク情報を前記アプリケーションサーバ（ロケーションサーバ又はプレゼンスサーバ）に要求するために、サブスクライブ（ＳＵＢＳＣＲＩＢＥ）信号を前記ＳＩＰ／ＩＰコアＡに送信し（Ｓ６３）、前記ＳＩＰ／ＩＰコアＡは、前記サブスクライブ（ＳＵＢＳＣＲＩＢＥ）信号を前記アプリケーションサーバ（ロケーションサーバ又はプレゼンスサーバ）にルーティングする（Ｓ６４）。
【００５５】
前記アプリケーションサーバは、前記ＰＴクライアントＢが現在属するネットワークの情報を含む通知（ＮＯＴＩＦＹ）信号を、前記ＳＩＰ／ＩＰコアＡを介して前記ＰＴサーバＡに送信する（Ｓ６６、Ｓ６７）。ここで、前記ＳＩＰ／ＩＰコアＡは、前記アプリケーションサーバから受信した通知（ＮＯＴＩＦＹ）信号を前記ＰＴサーバＡにルーティングする。
【００５６】
前記ＰＴサーバＡは、前記ＰＴクライアントＡが予め設定した動作条件情報と、前記アプリケーションサーバから受信した前記ＰＴクライアントＢの現在のネットワーク情報とを比較して、前記ＰＴクライアントＢを招待するか否かを決定する。ここで、前記ＰＴサーバＡは、前記アプリケーションから受信したネットワーク情報を国情報又は地域情報にマッピングできるデータベースを含んでいなければならない。
【００５７】
例えば、前記ＰＴサーバＡに「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のネットワーク」が予め設定されており、前記ＳＩＰ／ＩＰコアＡを介して確認した前記ＰＴクライアントＢが現在異なる国のネットワーク（ネットワークＢ）に属する場合、前記ＰＴサーバＡは、前記ＰＴクライアントＢに対するセッション招待を中断する。
【００５８】
前記ＰＴサーバＡは、前記ＰＴクライアントＢに対するセッション設定が中断されたことをＮＯＫ信号により前記ＳＩＰ／ＩＰコアＡに通知し（Ｓ６８）、前記ＳＩＰ／ＩＰコアＡは、前記ＮＯＫ信号を前記ＰＴクライアントＡに送信する（Ｓ６９）。
【００５９】
本発明の他の実施形態として、招待するＰＴクライアントＡと招待されるＰＴクライアントＢが同じ国の同じサービスプロバイダのクライアントであり、かつ前記サービスプロバイダのサービスエリアが非常に広い場合、長距離サービス（Ｌｏｎｇ  Ｄｉｓｔａｎｃｅ  Ｓｅｒｖｉｃｅ）に属するＰＴクライアントに対する招待を制限することもできる。すなわち、ネットワークサービスカバレッジによってＰＴサーバが区分された場合、ＰＴサーバ間のセッション接続を制限することができる。ここで、長距離ネットワーク（Ｌｏｎｇ  Ｄｉｓｔａｎｃｅ  Ｎｅｔｗｏｒｋ）はネットワークＩＤにより区分することもできる。
【００６０】
ここで、前記ＰＴクライアントＡが特定ネットワークＢ（長距離サービス）に存在するＰＴクライアントに対する招待を制限するために設定するネットワークを基盤とする発信セッション禁止フラグの値及び動作条件情報は、「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝長距離ネットワーク」である。
【００６１】
すなわち、長距離エリアに属するＰＴクライアントの招待を制限する場合、前記フラグ値及び動作条件情報が「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝長距離ネットワーク」に設定されることを除いては、図５〜図７の動作及び詳細説明と同様である。
【００６２】
図８〜図１０は、招待するＰＴクライアントＡと招待されるＰＴクライアントＢが同じ国の異なるサービスプロバイダのクライアントであり、かつ前記ＰＴクライアントＢが異なる国のネットワーク又は長距離エリアネットワークに移動した場合のＰＴサービス制限方法を示す信号フロー図である。ここで、前記ＰＴクライアントＡが、特定ネットワークＣ（異なる国のネットワーク又は長距離ネットワーク）に存在するＰＴクライアントに対する招待を制限するために、ネットワークを基盤とする発信セッション禁止フラグの値及び動作条件情報をＰＴサーバＡに予め設定したと仮定する。
【００６３】
図８は、ＳＩＰ／ＩＰコアが動作条件情報によって招待を制限する場合である。
【００６４】
前記ＰＴクライアントＡが招待（ＩＮＶＩＴＥ）信号を用いて前記ＰＴクライアントＢを招待すると（Ｓ７１）、前記ＰＴサーバＡは前記招待（ＩＮＶＩＴＥ）信号を前記ＰＴクライアントのホームネットワークＢのＳＩＰ／ＩＰコアＢにルーティングする。
【００６５】
ここで、前記ＰＴサーバＡは、前記ＰＴクライアントＡが予め設定した前記ネットワークを基盤とする発信セッション禁止フラグの値が「オン」であると、前記フラグ値及び当該フラグの動作条件情報を前記招待（ＩＮＶＩＴＥ）信号に追加して前記ＳＩＰ／ＩＰコアＢに送信する（Ｓ７３）。すなわち、前記招待（ＩＮＶＩＴＥ）信号には、「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝外国のネットワーク又は長距離ネットワーク」が追加される。
【００６６】
前記ＰＴクライアントＢ（すなわち、ネットワークＢの加入者）は、前記ネットワークＣ（異なる国のネットワーク又は長距離サービスネットワーク）に最初に移動した後、レジスタ（ＲＥＧＩＳＴＥＲ）信号を用いて前記ＳＩＰ／ＩＰコアＢに現在のネットワークに関する情報を報告するため、前記ＳＩＰ／ＩＰコアＢは、前記ＰＴクライアントＢが前記ネットワークＣに移動したことが分かる。ここで、前記ＳＩＰ／ＩＰコアＢは、前記ＰＴクライアントＢが報告した情報を利用して国情報又は地域情報をマッピングできるデータベースを含んでいなければならない。
【００６７】
前記招待（ＩＮＶＩＴＥ）信号を受信したＳＩＰ／ＩＰコアＢは、前記ネットワークを基盤とする発信セッション禁止フラグの値が「オン」であり、異なる国のネットワーク（ネットワークＣ）に存在するＰＴクライアントは招待したくないという動作条件情報を確認した後、前記ＰＴクライアントＢに対するセッション招待を中断する。
【００６８】
前記ＳＩＰ／ＩＰコアＢは、前記ＰＴクライアントＢに対するセッション設定が中断されたことをＮＯＫ信号により前記ＰＴサーバＡに通知し（Ｓ７５）、前記ＰＴサーバＡは、前記ＮＯＫ信号を前記ＰＴクライアントＡに送信する（Ｓ７７）。
【００６９】
図９は、ＰＴサーバＡが招待を制限する場合であり、招待しようとするＰＴクライアントの現在のネットワークに関する情報を前記ＰＴサーバＡがＳＩＰ／ＩＰコアから受信する実施形態を示す信号フロー図である。
【００７０】
前記ＰＴクライアントＡが招待（ＩＮＶＩＴＥ）信号を用いて前記ＰＴクライアントＢを招待すると（Ｓ８１）、前記ＰＴサーバＡはサブスクライブ（ＳＵＢＳＣＲＩＢＥ）信号を前記ホームネットワークＢのＳＩＰ／ＩＰコアＢに送信して、前記ＰＴクライアントＢの現在のネットワーク情報を要求する（Ｓ８３）。
【００７１】
前記ＳＩＰ／ＩＰコアＢは、前記ＰＴクライアントＢがどのネットワークに属するかを通知（ＮＯＴＩＦＹ）信号により前記ＰＴサーバＡに通知する（Ｓ８７）。
【００７２】
前記ＰＴサーバＡは、前記ＰＴクライアントＡが予め設定した動作条件情報と、前記ＳＩＰ／ＩＰコアＢから受信した前記ＰＴクライアントＢの現在のネットワーク情報とを比較して、前記ＰＴクライアントＢを招待するか否かを決定する。
【００７３】
例えば、前記ＰＴサーバＡに「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のネットワーク又は長距離サービス」が予め設定されており、前記ＳＩＰ／ＩＰコアＢにより確認した前記ＰＴクライアントＢが現在異なる国のネットワーク（ネットワークＣ）に属する場合、前記ＰＴサーバＡは、前記ＰＴクライアントＢに対するセッション招待を中断する。
【００７４】
前記ＰＴサーバＡは、前記ＰＴクライアントＢに対するセッション設定が中断されたことをＮＯＫ信号により前記ＰＴクライアントに通知する（Ｓ８９）。
【００７５】
前記ＰＴクライアントＢのネットワーク情報は、前記ＰＴサーバＡがサブスクライブ（ＳＵＢＳＣＲＩＢＥ）−通知（ＮＯＴＩＦＹ）信号を用いて要求する過程により確認することもでき、前記ＳＩＰ／ＩＰコアＢがパブリッシュ（ＰＵＢＬＩＳＨ）信号を用いて前記ＰＴクライアントＢのネットワーク情報を周期的に又は変更される度に前記ＰＴサーバＡに通知する過程により確認することもできる。
【００７６】
図１０は、ＰＴサーバＡが招待を制限する他の実施形態であり、招待しようとするＰＴクライアントの現在のネットワークに関する情報を前記ＰＴサーバＡがアプリケーションサーバから受信する場合を示す信号フロー図である。
【００７７】
前記ＰＴクライアントＡが招待（ＩＮＶＩＴＥ）信号を用いて前記ＰＴクライアントＢを招待すると（Ｓ８１）、前記ＰＴサーバＡはサブスクライブ（ＳＵＢＳＣＲＩＢＥ）信号を前記ＰＴクライアントＢのホームネットワークＢのＳＩＰ／ＩＰコアＢに送信し（Ｓ８３）、前記ＳＩＰ／ＩＰコアＢは、前記サブスクライブ（ＳＵＢＳＣＲＩＢＥ）信号を前記アプリケーションサーバにルーティングする（Ｓ８４）。ここで、前記アプリケーションサーバは、ロケーションサーバＢ又はプレゼンスサーバＢである。
【００７８】
前記アプリケーションサーバは、前記ＰＴクライアントＢが現在属するネットワークの情報を含む通知（ＮＯＴＩＦＹ）信号を、前記ＳＩＰ／ＩＰコアＢに送信し（Ｓ８６）、前記ＳＩＰ／ＩＰコアＢは、前記通知（ＮＯＴＩＦＹ）信号を前記ＰＴサーバＡにルーティングする（Ｓ８７）。
【００７９】
前記ＰＴサーバＡは、前記ＰＴクライアントＡが予め設定した動作条件情報と、前記アプリケーションサーバから受信した前記ＰＴクライアントＢの現在のネットワーク情報とを比較して、前記ＰＴクライアントＢを招待するか否かを決定する。
【００８０】
例えば、前記ＰＴサーバＡに「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のネットワーク又は長距離サービス」が予め設定されており、前記ＳＩＰ／ＩＰコアＢにより確認した前記ＰＴクライアントＢが現在異なる国のネットワーク（ネットワークＣ）に属する場合、前記ＰＴサーバＡは、前記ＰＴクライアントＢに対するセッション招待を中断する。
【００８１】
前記ＰＴサーバＡは、前記ＰＴクライアントＢに対するセッション設定が中断されたことをＮＯＫ信号により前記ＰＴクライアントに通知する（Ｓ８９）。
【００８２】
また、前記ＰＴクライアントＢのネットワーク情報は、前記ＰＴサーバＡがサブスクライブ（ＳＵＢＳＣＲＩＢＥ）−通知（ＮＯＴＩＦＹ）信号を用いて要求する過程により確認することもでき、前記ＳＩＰ／ＩＰコアＢがパブリッシュ（ＰＵＢＬＩＳＨ）信号を用いて前記ＰＴクライアントＢのネットワーク情報を周期的に又は変更される度に前記ＰＴサーバＡに通知する過程により確認することもできる。
【００８３】
図１１は、招待するＰＴクライアントＡが異なる国のサービスプロバイダ又は特定グループのクライアントであるＰＴクライアントＢを招待から除く場合のＰＴサービス制限方法を示す信号フロー図である。ここで、前記ＰＴクライアントＡが、特定ネットワークＢ（異なる国のサービスプロバイダ）又は特定グループに存在するＰＴクライアントに対する招待を制限するために、ネットワークを基盤とする発信セッション禁止フラグの値及び動作条件情報をＰＴサーバＡに予め設定したと仮定する。
【００８４】
前記ＰＴクライアントＡが、前記ＰＴクライアントＢを招待するために、招待（ＩＮＶＩＴＥ）信号を前記ＰＴサーバＡに送信する（Ｓ９１）。ここで、前記ＰＴサーバＡは、前記ＰＴクライアントＡが予め設定したネットワークを基盤とする発信セッション禁止フラグの値及び当該フラグの動作条件情報を保存しており、前記フラグ値及び動作条件情報は、「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のサービスプロバイダ又は特定グループ」である。
【００８５】
前記ＰＴサーバＡは、招待される前記ＰＴクライアントＢのＵＲＩを確認して、異なる国のサービスプロバイダ又は特定グループのクライアントであるか否かを判断する（Ｓ９３）。ここで、前記ＵＲＩは、電話番号ＵＲＩ（Ｔｅｌ  ＵＲＩ）又はＳＩＰ  ＵＲＩである。
【００８６】
前記ＰＴサーバＡは、前記ネットワークを基盤とする発信セッション禁止フラグの値が「オン」であり、異なる国のサービスプロバイダ又は特定グループのＰＴクライアントは招待しないという動作条件情報を確認した後、異なる国のサービスプロバイダ又は特定グループのＵＲＩを有する前記ＰＴクライアントＢに対するセッション招待を中断する。次に、前記ＰＴサーバＡは、前記ＰＴクライアントＢに対するセッション設定が中断されたことをＮＯＫ信号により前記ＰＴクライアントＡに通知する（Ｓ９５）。
【００８７】
例えば、国内のサービスプロバイダのクライアントであるＰＴクライアントＡが１つ以上のＰＴクライアントを招待すると、前記ＰＴサーバＡは、招待されたＰＴクライアントのＵＲＩを確認して異なる国のサービスプロバイダのクライアントを選別する。招待された前記ＰＴクライアントＢの電話番号ＵＲＩの国コードが異なる国（＋０８１−ＸＸＸ−ＸＸＸ−ＸＸＸＸ）であるか、又は異なる国のサービスプロバイダのＳＩＰ  ＵＲＩ（ｓｉｐ：ｊｅｎｎｙ＠ｎｔｔ．ｃｏｍ）を有すると、前記ＰＴサーバＡは、前記ＰＴクライアントＢを招待しない。ここで、前記ＰＴサーバＡは、前記ＵＲＩを用いて、招待されたＰＴクライアントが異なる国のサービスプロバイダの加入者であるか、又は異なる国の加入者から構成されたグループの構成員であるかを判断するためのデータベースを含んでいなければならない。
【００８８】
図５〜図１１の実施形態は、招待するＰＴクライアントがネットワークを基盤とする発信セッション禁止フラグの値及び当該フラグの動作条件情報を満たすＰＴクライアントに対する招待を制限する場合であり、前記フラグ値及び動作条件情報などのネットワーク情報は招待（ＩＮＶＩＴＥ）信号が送信される前に予めＰＴサーバに設定されると仮定して説明した。
【００８９】
しかし、前記ネットワークを基盤とする発信セッション禁止フラグの値及び動作条件情報は、ＰＴクライアントが送信する招待（ＩＮＶＩＴＥ）信号に直接追加して送信することができる。すなわち、招待する前記ＰＴクライアントが前記フラグ値及び動作条件情報を前記招待（ＩＮＶＩＴＥ）信号に追加して送信し、前記ＰＴサーバが前記招待（ＩＮＶＩＴＥ）信号から前記フラグ値及び動作条件情報を確認する。
【００９０】
図１２は、招待されるＰＴクライアントが招待を制限するＰＴサービス制限方法を示す信号フロー図であり、異なる国のネットワーク又は長距離エリアネットワークから受信される招待を制限する方法である。
【００９１】
まず、前記ＰＴクライアントＢは、特定ネットワークＡ（異なる国のネットワーク又は長距離エリアネットワーク）から受信される招待を制限するために、ネットワークを基盤とする着信セッション禁止フラグ（Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ）の値及び動作条件情報をＰＴサーバＢに予め設定する。
【００９２】
前記ＰＴサーバＢに前記ＰＴクライアントＢを招待する招待（ＩＮＶＩＴＥ）信号が受信されると（Ｓ１０１）、前記ＰＴサーバＢは、前記ＰＴクライアントＢが予め設定した前記着信セッション禁止フラグの値及び当該フラグの動作条件情報を確認して、前記招待（ＩＮＶＩＴＥ）信号の発信地を確認する。
【００９３】
例えば、前記ＰＴサーバＢに「Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ＝オン、動作条件＝異なる国のネットワーク、長距離ネットワーク、又は異なる国の加入者番号」が設定されている場合、前記ＰＴサーバＢは、前記招待（ＩＮＶＩＴＥ）信号が異なる国のネットワークもしくは長距離ネットワークから受信された招待（ＩＮＶＩＴＥ）信号であるか、又は異なる国の加入者が送信した招待（ＩＮＶＩＴＥ）信号であるかを確認する。
【００９４】
前記ＰＴサーバＢは、前記ＰＴクライアントＢが異なる国のネットワーク、長距離ネットワーク、又は異なる国の加入者からは招待を受けたくないという動作条件情報を確認した後、前記ＰＴクライアントＢに対するセッション招待を中断する。
【００９５】
前記ＰＴサーバＢは、セッション設定が中断されたことをＮＯＫ信号により前記ネットワークＡに通知する（Ｓ１０３）。
【００９６】
図５〜図１２の実施形態において、招待されるＰＴクライアントがネットワークを基盤とする発信セッション禁止フラグの値及び当該フラグの動作条件情報を満たす場合、ＰＴサーバは直ちに前記ＰＴクライアントに対する招待を制限し、招待するＰＴクライアントがネットワークを基盤とする着信セッション禁止フラグの値及び当該フラグの動作条件情報を満たす場合、ＰＴサーバは直ちに前記ＰＴクライアントからの招待を制限する。
【００９７】
しかし、図５〜図１２の実施形態において、前記ネットワークを基盤とする発信セッション禁止フラグの値及び当該フラグの動作条件情報、又は前記ネットワークを基盤とする着信セッション禁止フラグの値及び当該フラグの動作条件情報を満たすＰＴクライアントに対する招待制限を決定するための再確認を、前記条件を設定したＰＴクライアント（ＰＴユーザ）が行えるように、ＰＴサーバ確認過程をさらに含むことができる。
【００９８】
例えば、ＰＴクライアントが発信セッション禁止フラグの動作条件とユーザの確認条件の両方を予め設定した場合、ＰＴサーバが発信セッション禁止フラグの動作条件よりも招待しようとするユーザの確認条件に高い優先順位をおくようにすることができる。
【００９９】
図１３は、ＰＴサーバが招待制限を確認する過程をさらに含む実施形態を示す信号フロー図である。
【０１００】
前記ＰＴクライアントＡが招待（ＩＮＶＩＴＥ）信号を用いて前記ＰＴクライアントＢを招待すると（Ｓ１１０）、前記ＳＩＰ／ＩＰコアＡは前記招待（ＩＮＶＩＴＥ）信号を前記ＰＴサーバＡにルーティングする（Ｓ１１１）。
【０１０１】
前記ＰＴサーバＡは、前記ＰＴクライアントＢの現在のネットワーク情報を要求するために、サブスクライブ（ＳＵＢＳＣＲＩＢＥ）信号を前記ＳＩＰ／ＩＰコアＡに送信し（Ｓ１１２）、前記ＳＩＰ／ＩＰコアＡは、前記ＰＴクライアントＢがどのネットワークに属するかを通知（ＮＯＴＩＦＹ）信号により前記ＰＴサーバＡに通知する（Ｓ１１３）。ここで、前記ＰＴサーバＡに設定された前記発信セッション禁止フラグ値は「オン」であり、前記フラグの動作条件情報は「異なる国のネットワーク」であり、前記ＰＴクライアントは異なる国のネットワークに存在すると仮定する。
【０１０２】
前記ＰＴサーバは、前記設定されたフラグ値及び動作条件情報に関係なく、前記ＰＴクライアントＢのネットワーク情報を含む決定（ＤＥＣＩＳＩＯＮ）信号を前記ＰＴクライアントＡに送信することにより、前記ＰＴクライアントＢとのセッション設定を継続するか中断するかを問い合わせる（Ｓ１１４）。ここで、前記決定（ＤＥＣＩＳＩＯＮ）信号は、外国／国内のネットワークアドレス情報又は長距離／短距離ネットワークアドレス情報、及び課金関連情報を含む。
【０１０３】
前記ＰＴサーバＡは、前記決定（ＤＥＣＩＳＩＯＮ）信号に対する応答が受信されるまで、前記ＰＴクライアントＢを招待するための招待（ＩＮＶＩＴＥ）信号の送信を待機する。この場合、前記待機時間を制限するためのタイマー（又は類似の機能）を設定することにより、前記待機時間が満了すると、前記ＰＴサーバＡが予め設定されている動作条件情報によって招待を制限できるようにする。
【０１０４】
前記決定（ＤＥＣＩＳＩＯＮ）信号を受信したＰＴクライアントＡは、前記セッション設定を継続するか否かを決定し、その決定値を決定確認（ＤＥＣＩＳＩＯＮ  ＡＣＫ）信号により前記ＰＴサーバＡに送信する（Ｓ１１５）。
【０１０５】
ここで、前記ＰＴクライアントＡが前記ＰＴクライアントＢに対するセッション設定を継続するように命令する値を含む決定確認（ＤＥＣＩＳＩＯＮ  ＡＣＫ）信号を送信すると仮定する。
【０１０６】
前記決定確認（ＤＥＣＩＳＩＯＮ  ＡＣＫ）信号を受信したＰＴサーバＡは、前記ＳＩＰ／ＩＰコアＡを介して（Ｓ１１６）、前記招待（ＩＮＶＩＴＥ）信号を前記ＰＴクライアントＢに送信し（Ｓ１１７）、前記ＰＴクライアントＢは、前記ＳＩＰ／ＩＰコアＡを介して（Ｓ１１８）、前記招待（ＩＮＶＩＴＥ）信号に対する応答（２００  ＯＫ）信号を前記ＰＴサーバＡに送信する（Ｓ１１９）。前記ＰＴサーバＡが前記応答（２００  ＯＫ）信号を前記ＰＴクライアントＡに送信することにより、前記ＰＴクライアントＡと前記ＰＴクライアントＢ間にセッションが設定される。
【０１０７】
前述したように、ＰＴサーバがセッション設定についてＰＴクライアントに確認する過程をさらに含む場合、前記ＰＴクライアントの決定が前記ＰＴサーバに予め設定されたフラグ値及び動作条件情報による招待制限よりも高い優先順位を有する。
【０１０８】
例えば、前記ＰＴサーバＡに「Ｎｅｔｗｏｒｋ  Ｄｅｐｅｎｄｅｎｔ  Ｏｕｔｇｏｉｎｇ−Ｓｅｓｓｉｏｎ−Ｂａｒｒｉｎｇ  Ｆｌａｇ＝オン、動作条件＝異なる国のネットワーク」が予め設定されており、前記ＳＩＰ／ＩＰコアＡを介して確認した前記ＰＴクライアントＢが現在異なる国のネットワーク（ネットワークＢ）に属する場合、前記ＰＴクライアントＡがセッションを設定するように決定すると、前記ＰＴサーバＡは、予め設定された条件に関係なく、前記ＰＴクライアントＢとのセッションを設定する。
【０１０９】
また、前記決定（ＤＥＣＩＳＩＯＮ）信号と前記決定確認（ＤＥＣＩＳＩＯＮ  ＡＣＫ）信号を用いて、特定ＰＴクライアントからの招待を制限することもできる。
【０１１０】
図１４は、ＰＴクライアントＡが同じネットワークに存在するＰＴクライアントＢを招待してセッションを設定した後、前記ＰＴクライアントＢが異なるネットワークにローミングされる場合のＰＴサービス制限方法を示す信号フロー図である。ここで、前記ＰＴクライアントＡは、特定ネットワークＢ（異なる国のネットワーク又は長距離エリアネットワーク）に存在するＰＴクライアントに対する招待を制限するために、ネットワークを基盤とする発信セッション禁止フラグの値及び動作条件情報をＰＴサーバＡに予め設定したと仮定する。
【０１１１】
まず、前記ＰＴクライアントＡと前記ＰＴクライアントＢが同じ国のネットワーク又は同じサービスプロバイダに属し、前記ＰＴサーバＡがＰＴサービスを制限する場合である。
【０１１２】
前記ＰＴクライアントＡが招待（ＩＮＶＩＴＥ）信号を用いて前記ＰＴクライアントＢを招待すると、前記ＳＩＰ／ＩＰコアＡは前記招待（ＩＮＶＩＴＥ）信号を前記ＰＴサーバＡにルーティングする（Ｓ１２１）。
【０１１３】
前記ＰＴサーバＡは、前記ＰＴクライアントＡが予め設定した前記ネットワークを基盤とする発信セッション禁止フラグの値が「オン」であると、前記ＰＴクライアントＢの現在のネットワーク情報を要求するために、サブスクライブ（ＳＵＢＳＣＲＩＢＥ）信号を前記ＳＩＰ／ＩＰコアＡに送信し（Ｓ１２２）、前記ＳＩＰ／ＩＰコアＡは、前記ＰＴクライアントＢがどのネットワークに属するかを通知（ＮＯＴＩＦＹ）信号により前記ＰＴサーバＡに通知する（Ｓ１２３）。
【０１１４】
前記ＰＴサーバＡは、前記ＰＴクライアントＡと前記ＰＴクライアントＢが同じネットワークであることを確認し、前記招待（ＩＮＶＩＴＥ）信号を前記ＳＩＰ／ＩＰコアＡを介して前記ＰＴクライアントＢに送信する（Ｓ１２４）。この場合、前記ＰＴクライアントＢが前記動作条件情報を満たさないため、ＰＴサービス制限は発生しない。
【０１１５】
前記招待（ＩＮＶＩＴＥ）信号を受信したＰＴクライアントＢが、前記ＳＩＰ／ＩＰコアＡを介して応答（２００  ＯＫ）信号を前記ＰＴサーバＡに送信し（Ｓ１２５）、前記ＰＴサーバＡが、前記ＳＩＰ／ＩＰコアＡを介して前記応答（２００  ＯＫ）信号を前記ＰＴクライアントＡに送信することにより（Ｓ１２６）、前記ＰＴクライアントＡと前記ＰＴクライアントＢ間にセッションが設定される。
【０１１６】
前記ＰＴクライアントＡと前記ＰＴクライアントＢ間にセッションが設定されているときに、前記ＰＴクライアントＢが前記ネットワークＢにローミングされると（Ｓ１２７）、前記ＰＴサーバＡは、前記ＰＴクライアントＢの現在のネットワーク情報と、予め設定された前記ネットワークを基盤とする発信セッション禁止フラグの値及び当該フラグの動作条件情報とを比較する（Ｓ１２８）。
【０１１７】
ここで、前記ＰＴクライアントＢ（すなわち、ネットワークＡの加入者）は、前記ネットワークＢ（異なる国のネットワーク）に最初に移動した後、前記ＳＩＰ／ＩＰコアＡにレジスタ（ＲＥＧＩＳＴＥＲ）信号を送信して現在のネットワークを登録するため、前記ＳＩＰ／ＩＰコアＡは、前記ＰＴクライアントＢが前記ネットワークＢにローミングしたことが分かる。そして、前記ＳＩＰ／ＩＰコアＡは、前記ＰＴクライアントＢがローミングしたことをレポート（ＲＥＰＯＲＴ）信号により前記ＰＴサーバＡに通知する。
【０１１８】
前記ＰＴサーバは、前記ネットワークを基盤とする発信セッション禁止フラグの値が「オン」であり、異なるネットワーク（ネットワークＢ）のクライアントは招待したくないという動作条件情報を確認した後、前記ＰＴクライアントＡと前記ＰＴクライアントＢにセッション解除（ＲＥＬＥＡＳＥ）信号を送信することにより、前記ＰＴクライアントＡと前記ＰＴクライアントＢ間のセッションを解除する（Ｓ１２９）。
【０１１９】
前述したように、セッションが設定された状態でＰＴクライアントが異なるネットワークにローミングしてＰＴサービスを制限する場合は、ＰＴサーバだけでなく、ＳＩＰ／ＩＰコアによっても制限することができる。
【０１２０】
前述したように、招待されたＰＴクライアントＢがセッション中に異なるエリア（異なるネットワーク、ＰＴサーバ領域など）に移動した場合、招待したＰＴクライアントＡの動作条件情報によって、ＰＴサーバ又はＳＩＰ／ＩＰコアがセッションを解除することができる。
【０１２１】
また、招待されたＰＴクライアントＢがセッション中に異なるエリア（異なるネットワーク、ＰＴサーバ領域など）に移動した場合、招待されたＰＴクライアントＢの選好情報によって、ＰＴサーバ又はＳＩＰ／ＩＰコアがセッションを解除することができる。
【０１２２】
さらに、招待したＰＴクライアントＡが招待されたＰＴクライアントＢとのセッション中に、ＰＴクライアントＡ自身が異なるエリア（異なるネットワーク、異なるＰＴサーバ領域など）に移動した場合、前記ＰＴクライアントＡの選好情報によって該当セッションを終了することができる。
【０１２３】
さらに、招待したＰＴクライアントＡが招待されたＰＴクライアントＢとのセッション中に、ＰＴクライアントＡ自身が異なるエリア（異なるネットワーク、異なるＰＴサーバ領域など）に移動した場合、前記ＰＴクライアントＢの選好情報によって該当セッションを終了することができる。
【０１２４】
前述した実施形態においては、招待するＰＴクライアントは、ネットワークを基盤とする発信セッション禁止フラグ（Ｏｕｔｇｏｉｎｇ−Ｓｅｓｓｉｏｎ−Ｂａｒｒｉｎｇ−Ｆｌａｇ）及び当該フラグの動作条件情報を利用して、前記条件を満たすＰＴクライアントに対する招待を制限することができる。
【０１２５】
ところが、ＰＴクライアントは、発信セッション禁止無効フラグ（Ｏｕｔｇｏｉｎｇ−Ｓｅｓｓｉｏｎ−Ｂａｒｒｉｎｇ−Ｏｖｅｒｒｉｄｅ−Ｆｌａｇ）を設定してＰＴサーバに送信することにより、前記ＰＴサーバに予め設定されたフラグ及び動作条件情報を無効にすることができる。ここで、前記発信セッション禁止無効フラグは、前記ＰＴクライアントが送信する招待（ＩＮＶＩＴＥ）信号のヘッダ又はボディ部分に含めて前記ＰＴサーバに送信することができる。
【０１２６】
ユーザにより設定された前記発信セッション禁止無効フラグが前記ＰＴサーバに送信されると、前記ＰＴサーバは次のように動作する。
【０１２７】
前記発信セッション禁止無効フラグが「ｔｒｕｅ」であると、前記ＰＴサーバは、ＰＴサーバ自身に保存された発信セッション禁止フラグ及び動作条件情報に関係なく動作する。従って、前記ＰＴサーバは招待信号を招待対象者に無条件に送信する。ここで、招待対象者にセッションを設定するか否かを確認する過程がなければ、直ちに招待者と招待対象者間にセッションが設定される。例えば、前記ＰＴサーバは、異なる国のネットワーク又は長距離ネットワークに移動した招待対象者の存在有無、及び存在する場合の課金情報などを招待者に通知せず、ＰＴサーバ自身に保存された発信セッション禁止フラグを無効にすることにより、ＰＴセッションを接続する。一方、招待対象者にセッションを設定するか否かを確認する過程があれば、招待対象者の決定によってセッションが設定される。
【０１２８】
前記発信セッション禁止無効フラグが「ｆａｌｓｅ」であると、前記ＰＴサーバは、ＰＴサーバ自身に保存された発信セッション禁止フラグ及び動作条件情報に従って動作する。ここで、招待対象者にセッションを設定するか否かを確認する過程がなければ、前記ＰＴサーバに設定されている発信セッション禁止フラグ及び動作条件情報に従って動作し、招待対象者にセッションを設定するか否かを確認する過程があれば、招待対象者の決定によってセッションが設定される。
【０１２９】
図１５及び図１６は、招待（ＩＮＶＩＴＥ）信号に含まれた発信セッション禁止無効フラグが「ｔｒｕｅ」の場合の招待過程を示す図である。
【０１３０】
図１５は、図１２にＰＴクライアントの決定によって招待を制限する過程をさらに含む一実施形態を示す信号フロー図である。ここで、前記ＰＴクライアントＢは、特定ネットワークＡ（異なる国のネットワーク又は長距離ネットワーク）から送信される招待を制限するために、ネットワークを基盤とする着信セッション禁止フラグ（Ｎｅｔｗｏｒｋ  Ｄｅｐｅｎｄｅｎｔ  Ｉｎｃｏｍｉｎｇ−Ｓｅｓｓｉｏｎ−Ｂａｒｒｉｎｇ  Ｆｌａｇ）の値及び動作条件情報を前記ＰＴサーバＢに予め設定したと仮定する。
【０１３１】
ネットワークＡは、前記ＰＴクライアントＢを招待する招待（ＩＮＶＩＴＥ）信号に発信セッション禁止無効フラグを追加して送信する（Ｓ１３１）。ここで、前記発信セッション禁止無効フラグの値は「ｔｒｕｅ」である。前記招待（ＩＮＶＩＴＥ）信号を受信したＰＴサーバＢは、上述した予め設定されたフラグ値及び動作条件情報に関係なく、前記発信セッション禁止無効フラグに従って、前記招待（ＩＮＶＩＴＥ）信号を前記ＰＴクライアントＢに送信する（Ｓ１３３）。ここで、前記招待（ＩＮＶＩＴＥ）信号は、招待者のネットワークを判断できる情報及び課金関連情報をさらに含む。
【０１３２】
前記招待（ＩＮＶＩＴＥ）信号を受信したＰＴクライアントＢは、前記セッションに参加するか否かを判断して、前記招待（ＩＮＶＩＴＥ）信号に対する応答信号を前記ＰＴサーバＢに送信する（Ｓ１３７）。ここで、前記応答信号は、前記セッションに参加する場合は２００  ＯＫであり、前記セッションに参加しない場合はＮＯＫである。
【０１３３】
前記ＰＴサーバＢは、前記ＰＴクライアントＢから受信した応答信号を前記ネットワークＡに送信する（Ｓ１３９）。
【０１３４】
図１６は、図１２にＰＴクライアントの決定によって招待を制限する過程をさらに含む他の実施形態を示す信号フロー図であり、前記ＰＴクライアントＢが前記招待（ＩＮＶＩＴＥ）信号に対する応答信号の送信を待機するようにする要求信号を前記ＰＴサーバＢに送信する場合である。
【０１３５】
ネットワークＡは、前記ＰＴクライアントＢを招待する招待（ＩＮＶＩＴＥ）信号に「ｔｒｕｅ」値を有する発信セッション禁止無効フラグを追加して送信する（Ｓ１３１）。前記招待（ＩＮＶＩＴＥ）信号を受信したＰＴサーバＢは、上述した予め設定されたフラグ値及び動作条件情報に関係なく、前記発信セッション禁止無効フラグに従って、前記招待（ＩＮＶＩＴＥ）信号を前記ＰＴクライアントＢに送信する（Ｓ１３３）。ここで、前記招待（ＩＮＶＩＴＥ）信号は、招待者のネットワークを判断できる情報（例えば、外国／国内のネットワークアドレス情報又は長距離／短距離ネットワークアドレス情報など）及び課金関連情報をさらに含む。
【０１３６】
前記招待（ＩＮＶＩＴＥ）信号を受信したＰＴクライアントＢは、前記セッションに参加するか否かを判断するまで、前記招待（ＩＮＶＩＴＥ）信号に対する応答信号の送信を待機するようにする要求信号を送信する（Ｓ１３５）。前記要求信号としては、１８３  Ｓｅｓｓｉｏｎ  Ｐｒｏｇｒｅｓｓ、２０２  Ａｃｃｅｐｔｅｄ、又は１８０  ＲｉｎｇｉｎｇなどのＳＩＰ応答メッセージを使用できる。
【０１３７】
前記ＰＴクライアントＢは、前記セッションに参加するか否かを判断して、前記招待（ＩＮＶＩＴＥ）信号に対する応答信号を前記ＰＴサーバＢに送信する（Ｓ１３７）。ここで、前記応答信号は、前記セッションに参加する場合は２００  ＯＫであり、前記セッションに参加しない場合はＮＯＫである。
【０１３８】
前記ＰＴサーバＢは、前記ＰＴクライアントＢから受信した応答信号を前記ネットワークＡに送信する（Ｓ１３９）。
【０１３９】
図１５及び図１６に示すように、招待（ＩＮＶＩＴＥ）信号に発信セッション禁止無効フラグが含まれている場合、そのフラグ値が「ｔｒｕｅ」であると、前記招待（ＩＮＶＩＴＥ）信号は、前記ＰＴサーバに保存されたフラグ値及び動作条件情報に関係なく招待対象者（ＰＴクライアントＢ）に送信され、前記招待対象者の決定によってセッションが設定又は中断される。
【０１４０】
図１７は、ＰＴクライアントがセッションを制限するために設定するネットワーク情報をＸＭＬ文書で表現した一実施形態であり、着信セッションの場合は、国際的な（Ｉｎｔｅｒｎａｔｉｏｎａｌ）招待を制限し、発信セッションの場合は、長距離エリアネットワークを制限する。ここで、前記ネットワーク情報は、ネットワークを基盤とする着信セッション禁止フラグ、当該フラグの動作条件情報、ネットワークを基盤とする発信セッション禁止フラグ、当該フラグの動作条件情報などを含む。
【０１４１】
図１８及び図１９は、前記発信セッション禁止無効フラグをＳＤＰ（Ｓｅｓｓｉｏｎ  Ｄｅｓｃｒｉｐｔｉｏｎ  Ｐｒｏｔｏｃｏｌ）形式とＸＭＬ文書で表現した図である。
【０１４２】
図１８において、「ｂ＝ｔｒｕｅ」は、前記発信セッション禁止無効フラグの値が「ｔｒｕｅ」であることを示し、前記「ｂ」は「ｂａｒｒｉｎｇ」の最初の文字である。
【０１４３】
本発明は、ＰＴクライアントＡの元のホームネットワーク、又は前記ＰＴクライアントＡが異なるネットワーク領域（又は、異なるＰＴサーバ領域）にローミングして設定されたホームネットワークでＰＴサービスを行う場合も、ネットワークを基盤とする発信セッション禁止／ネットワークを基盤とする着信セッション禁止（ＯＳＢ／ＩＳＢ）を行うことができる。
【０１４４】
本発明で説明するセッション禁止の条件は、ローミング、長距離などの位置情報に限定されるものではなく、前記セッション禁止は、アプリケーションサーバがユーザの設定による多様な条件によって行うことができる。
【０１４５】
すなわち、前記アプリケーションサーバは、ＰＴセッションの状態情報、招待するＰＴ加入者自身の状態情報、招待される加入者の状態情報、招待されるＰＴ加入者のサービスプロバイダのドメインなどの多様な状態情報を利用して、セッション禁止を行うことができる。
【図面の簡単な説明】
【０１４６】
【図１】本発明によるＰＴサービス制限方法を説明するためのＰＴシステムの構成を示すブロック図である。
【図２】ＰＴクライアントＡがＰＴサーバＡにパブリッシュ（ＰＵＢＬＩＳＨ）信号を送信する過程を示す信号フロー図である。
【図３】ＰＴクライアントＢがＰＴサーバＢにパブリッシュ（ＰＵＢＬＩＳＨ）信号を送信する過程を示す信号フロー図である。
【図４】ＰＴクライアント間又はＰＴサーバ間でサブスクライブ（ＳＵＢＳＣＲＩＢＥ）信号と通知（ＮＯＴＩＦＹ）信号を送信する過程を示す信号フロー図である。
【図５】本発明によるＰＴサービス制限方法の第１実施形態を示す信号フロー図である。
【図６】本発明によるＰＴサービス制限方法の第２実施形態を示す信号フロー図である。
【図７】本発明によるＰＴサービス制限方法の第３実施形態を示す信号フロー図である。
【図８】本発明によるＰＴサービス制限方法の第４実施形態を示す信号フロー図である。
【図９】本発明によるＰＴサービス制限方法の第５実施形態を示す信号フロー図である。
【図１０】本発明によるＰＴサービス制限方法の第６実施形態を示す信号フロー図である。
【図１１】本発明によるＰＴサービス制限方法の第７実施形態を示す信号フロー図である。
【図１２】本発明によるＰＴサービス制限方法の第８実施形態を示す信号フロー図である。
【図１３】本発明によるＰＴサービス制限方法の第９実施形態を示す信号フロー図である。
【図１４】本発明によるＰＴサービス制限方法の第１０実施形態を示す信号フロー図である。
【図１５】本発明によるＰＴサービス制限方法の第１１実施形態を示す信号フロー図である。
【図１６】本発明によるＰＴサービス制限方法の第１２実施形態を示す信号フロー図である。
【図１７】ＰＴクライアントがセッションを制限するために設定するネットワーク情報をＸＭＬ文書で表現した図である。
【図１８】ユーザの端末を利用して送信する発信セッション禁止無効フラグをＳＤＰ形式で表現した図である。
【図１９】ユーザの端末を利用して送信する発信セッション禁止無効フラグをＸＭＬ文書で表現した図である。
【図１】
2008515270.tif 000003
【図２】
2008515270.tif 000004
【図３】
2008515270.tif 000005
【図４】
2008515270.tif 000006
【図５】
2008515270.tif 000007
【図６】
2008515270.tif 000008
【図７】
2008515270.tif 000009
【図８】
2008515270.tif 000010
【図９】
2008515270.tif 000011
【図１０】
2008515270.tif 000012
【図１１】
2008515270.tif 000013
【図１２】
2008515270.tif 000014
【図１３】
2008515270.tif 000015
【図１４】
2008515270.tif 000016
【図１５】
2008515270.tif 000017
【図１６】
2008515270.tif 000018
【図１７】
2008515270.tif 000019
【図１８】
2008515270.tif 000020
【図１９】
2008515270.tif 000021
【国際調査報告】
2008515270.tif 000022
2008515270.tif 000023